(57)【要約】【課題】吹出口から吹き出された気流をその吹出口から離れた者に当たるようにする。【解決手段】気流制御装置１は、上方に向けられるよう床１０に設けられ、温度調整された空気を吹き出す吹出口１１と、吹出口１１の周辺において床１０から立ち上がって、吹出口１１の上方の位置を越えるように湾曲するガイド面４１を有するガイドプレート４０と、を備える。【選択図】図１
2019105401.tif 000002
【特許請求の範囲】
【請求項１】
上方に向けられるよう床に設けられ、温度調整された空気を吹き出す吹出口と、
前記吹出口の周辺において前記床から立ち上がって、前記吹出口の上方の位置を越えるように湾曲するガイド面を有するガイド部と、
を備える気流制御装置。
【請求項２】
前記吹出口が前記床上の椅子の前に配置され、前記ガイド面が前記椅子に向けて湾曲する
請求項１に記載の気流制御装置。
【請求項３】
前記吹出口が前記床上の机の下の空間において前記床に設けられ、
前記ガイド面が前記机の下の空間に配置され、
前記机の下の空間が前記ガイド面の湾曲した先において開口している
請求項１又は２に記載の気流制御装置。
【発明の詳細な説明】
【技術分野】
【０００１】
本発明は、空調された気流を制御する気流制御装置に関する。
【背景技術】
【０００２】
特許文献１には、空調システムが開示されている。具体的には、熱交換器である冷却装置が天井裏に設置されており、その冷却装置によって冷却された空気が天井の吹出口から居室内に吹き出される。また、居室の温度と同等に空調された空気が床下に導入されて、その空気が床の吹出口から居室内に吹き出される。
【０００３】
特許文献２には、机ごとに空調を行える空調装置が開示されている。具体的には、床の各机の後ろ側には、吹出口が設けられている。空調された空気が熱源機から吹出口へ送られて、その空気が吹出口から吹き出される。
【先行技術文献】
【特許文献】
【０００４】
【特許文献１】特開２０１６−２１７５４１号公報
【特許文献２】特開２０１０−１４４９７８号公報
【発明の概要】
【発明が解決しようとする課題】
【０００５】
ところで、特許文献１，２に記載の技術では、空調された気流は、吹出口の近くの机下空間にしか当たらず、吹出口から離れた在席者には当たらない。よって、吹出口から離れた在席者にとって快適な温度環境を提供することができない。
【０００６】
そこで、本発明は、上記事情に鑑みてなされたものであり、本発明が解決しようとする課題は、吹出口から吹き出される気流をその吹出口から離れた者に当たるようにすることである。
【課題を解決するための手段】
【０００７】
以上の課題を解決するために、気流制御装置は、上方に向けられるよう床に設けられ、温度調整された空気を吹き出す吹出口と、前記吹出口の周辺において前記床から立ち上がって、前記吹出口の上方の位置を越えるように湾曲するガイド面を有するガイド部と、を備える。
【０００８】
以上によれば、吹出口から上に吹き出された気流がコアンダ効果によってガイド面に誘引されるため、その気流はガイド面に沿って流れる。従って、その気流は、吹出口から離れた者に当たる。つまり、その気流は、ガイド面の湾曲した先に居る者に当たる。その者の近辺を省エネルギーで重点的に空調することができる。
【０００９】
好ましくは、前記気流制御装置が、前記ガイド面の湾曲した先に配置される椅子を更に備える。
【００１０】
以上によれば、吹出口から上に吹き出された気流は、椅子に着席した者に当たる。よって、その着席者の近辺を省エネルギーで重点的に空調することができる。
【００１１】
前記気流制御装置が、前記床上に設置される机を更に備え、前記吹出口が前記机の下の空間において前記床に設けられ、前記ガイド面が前記机の下の空間に配置され、前記机の下の空間が前記ガイド面の湾曲した先において開口している。
【００１２】
以上によれば、吹出口から上に吹き出された気流は、机で作業する者に当たる。よって、その作業者の近辺を省エネルギーで重点的に空調することができる。
【発明の効果】
【００１３】
本発明によれば、吹出口から上に吹き出された気流が、吹出口から離れた者に当たる。よって、その者の近辺を省エネルギーで重点的に空調することができる。
【図面の簡単な説明】
【００１４】
【図１】第１実施形態の気流制御装置を横から見た断面図である。
【図２】第１実施形態の気流制御装置の斜視図である。
【図３】第２実施形態の気流制御装置を横から見た断面図である。
【図４】ガイドプレートの変形例を示した斜視図である。
【発明を実施するための形態】
【００１５】
以下、図面を参照して、本発明の実施形態について説明する。但し、以下に述べる実施形態には、本発明を実施するために技術的に好ましい種々の限定が付されているが、本発明の範囲を以下の実施形態及び図示例に限定するものではない。
【００１６】
〔第１の実施の形態〕
図１は、気流制御装置１の断面図であり、図２は、気流制御装置１の斜視図である。
【００１７】
図１及び図２に示すように、気流制御装置１は、吹出口１１及びガイドプレート４０を備える。
【００１８】
部屋の床１０は、コンクリート床１０ｂ及び床材１０ａからなる二重床である。床材１０ａはコンクリート床１０ｂから上に離れて、支持材によって支持されている。これにより、床下チャンバ１２が床材１０ａとコンクリート床１０ｂとの間に形成されている。床材１０ａには、床下チャンバ１２まで通じる吹出口１１が形成されている。吹出口１１には、空気の吹き出し量を調整するレジスタが設けられてもよい。
冷房装置、暖房装置又は冷暖房装置によって温度調整された空気が床下チャンバ１２に供給される。そうすると、温度調整された空気が床下チャンバ１２によって吹出口１１まで運ばれて、吹出口１１から吹き出される。なお、ダクトが床材１０ａの下に設けられ、そのダクトが冷房装置、暖房装置又は冷暖房装置から吹出口１１まで配管され、温度調整された空気がダクトによって吹出口１１まで運ばれてもよい。
【００１９】
机２０は、吹出口１１が机２０の前幕板２５近傍に位置するようにして、床１０上に設置されている。机２０の天板２２が机２０の脚２１の上端に支持され、その天板２２の下には空間２３が形成されている。その空間２３は後ろ側において開口する。机２０の後ろには椅子３０が配置されている。椅子３０は脚部３１の下端に設けられたキャスター３４によって床１０上を走行可能であり、椅子３０の座部３２は机下空間２３の後部開口２４を通じて机下空間２３に出し入れが可能である。椅子３０に着席した者は、自身の臀部を椅子３０の座部３２に据えて、自身の上体を椅子３０の背もたれ３３にもたれかけて、自身の脚を机下空間２３に投げ出すことができる。
【００２０】
吹出口１１は、机下空間２３の後部開口２４から机下空間２３の奥側に離れている。吹出口１１は、机２０によって閉塞されずに、上方の天板２２に向けて開口する。従って、吹出口１１は、椅子３０及び着席者に向いていない。
【００２１】
机下空間２３内には、ガイドプレート４０が設けられている。このガイドプレート４０は、吹出口１１の前側において床１０から上方へ立ち上がって、吹出口１１の上方の位置を後方へ越えるように後方へ湾曲している。ガイドプレート４０の後部は、水平に設けられているか、後ろに向かって上りに勾配する。
【００２２】
ガイドプレート４０が湾曲しているので、ガイドプレート４０の両面のうち机下空間２３の内側に向いたガイド面４１も、吹出口１１の前側において床１０から上方へ立ち上がって、吹出口１１の上方の位置を後方へ越えるように後方へ湾曲している。つまり、ガイド面４１が椅子３０に向けて湾曲し、椅子３０がそのガイド面４１の湾曲した先に配置されることになる。また、机下空間２３の後部開口２４は、そのガイド面４１の湾曲した先において、開口している。
【００２３】
吹出口１１から上に吹き出された気流は、コアンダ効果によってガイド面４１に誘引される。従って、その気流は、ガイド面４１に沿って流れることによって、後方に向けて案内される。そして、その気流は、ガイドプレート４０の後端において、机下空間２３の後部開口２４の上部から着席者に向けて後方へ流れる。特に、空調された気流が着席者の上体或いは頸元に当たる。
【００２４】
よって、吹出口１１が着席者に向いていなくても、その着席者の近辺を重点的に空調することができるとともに、部屋全体を空調せずとも済む。例えば冷房の場合、着席者にとって快適な温度環境を提供するために、吹出口１１から吹き出される気流の温度が比較的高くても十分であり、またその風速及び風量が小さくても十分である。例えば暖房の場合、吹出口１１から吹き出される気流の温度が比較的低くても十分であり、またその風速及び風量が小さくても十分である。つまり、この気流制御装置１は省エネルギーの実現に寄与する。
【００２５】
ガイドプレート４０の下部が、マグネット等の固定具４２によって前幕板２５に固定されている。ガイドプレート４０と天板２２との間には隙間が形成されており、天板２２の下に設けられた引出が、ガイドプレート４０と天板２２との間の隙間において、前後にスライドする。
【００２６】
〔第２の実施の形態〕
図３は、気流制御装置６の側面図である。この気流制御装置６は、劇場、映画館等の観客席が設置される領域に設置される。
【００２７】
気流制御装置６は吹出口６１及びガイドプレート９０を備える。
【００２８】
床６０は、前から後ろに向かって上り階段となる多段状に設けられている。
床６０の各段６３の前部には、複数の吹出口６１が形成されている。各段６３において、これら吹出口６１が横方向（図３の紙面に垂直な方向）に配列されている。各吹出口６１には、空気の吹き出し量を調整するレジスタが設けられてもよい。
床６０の下にはダクト６２が設けられている。ダクト６２が吹出口６１に通じており、冷房装置、暖房装置又は冷暖房装置によって温度調整された空気がダクト６２によって各吹出口６１まで運ばれる。
【００２９】
床６０の各段６３の後部には、複数の座席８０が設置されている。これら座席８０が、各段６３において、横方向に配列されている。各座席８０の前に吹出口６１が配置されている。座席８０は、背もたれ８３と、背もたれ８３の下部に設けられた座部８２と、を有する。座部８２は、前に倒すことができるとともに、後ろに起こし上げることができる。座席８０は、椅子に相当する。
【００３０】
各座席８０の前にはガイドプレート９０がそれぞれ設けられている。これらガイドプレート９０が、各段６３において、横方向に配列されている。ガイドプレート９０は、吹出口６１の前側において床６０から上方へ立ち上がって、吹出口６１の上方において吹出口６１の上方の位置を後方へ越えるように後方へ湾曲している。ガイドプレート９０の後部は、水平に設けられているか、その水平面から上方へ勾配する。ガイドプレート９０が湾曲しているので、ガイドプレート９０の両面のうち後ろ側の座席８０に向いたガイド面９１も、吹出口６１の前側において床１０から上方へ立ち上がって、吹出口６１の上方の位置を後方へ越えるように後方へ湾曲している。つまり、ガイド面９１がその後ろ側の座席８０に向けて湾曲し、座席８０がそのガイド面９１の湾曲した先に配置されることになる。
【００３１】
ガイドプレート９０は、その前の座席８０の背もたれ８３の後面８４に取り付けられているか、その背もたれ８３と一体化されている。なお、ガイドプレート９０を設けず、背もたれ８３の後面をガイドプレート９０のガイド面９１のように湾曲させて、背もたれ８３の後面がガイド面となっていてもよい。この場合、その背もたれ８３がガイド部となる。
【００３２】
吹出口６１から上に吹き出された気流は、コアンダ効果によってガイド面９１に誘引される。従って、その気流は、ガイド面９１に沿って流れることによって、後方に向けて案内される。その気流は着席者に向けて後方へ流れる。特に、空調された気流が着席者の上体或いは頸元に当たる。そのため、この気流制御装置６は、省エネルギーで、着席者にとって快適な温度環境を提供する。
【００３３】
〔変形例〕
上記ガイドプレート４０，９０を図４に示すようなガイドプレート１００に変更してもよい。ガイドプレート１００は、谷部１０１と山部１０２が横方向に交互に繰り返す波形板である。ガイドプレート４０，９０と同様に、このガイドプレート１００は、谷部１０１の谷線及び山部１０２の稜線が曲げられるように、湾曲している。従って、谷部１０１と山部１０２は、吹出口１１又は吹出口６１の前側において床１０又は床６０から上方へ立ち上がって、吹出口１１又は吹出口６１の上方において吹出口１１又は吹出口６１の後ろ側へ湾曲している。
【００３４】
吹出口１１又は吹出口６１から吹き出された気流は、山部１０２と山部１０２との間の谷部１０１に沿って流れる。そのため、気流が横方向に拡散しにくい。
【符号の説明】
【００３５】
１，６…気流制御装置
１０，６０…床
１１，６１…吹出口
２０…机
２２…天板
２３…机下空間
２４…机下空間の開口
２５…前幕板
３０…椅子
４０，９０…ガイドプレート
４１，９１…ガイド面
８０…座席（椅子）
【図１】
2019105401.tif 000003
【図２】
2019105401.tif 000004
【図３】
2019105401.tif 000005
【図４】
2019105401.tif 000006